(57)【要約】      （修正有）【課題】施工の際に必要な部材を減らし、また簡単に施工できるユニットバスの床構造を提供する。【解決手段】浴槽が設置される浴槽側領域１１と洗い場側領域１２とを有する床パン１を備え、浴槽側領域１１と洗い場側領域１２の境界部１４を跨るように排水口１５が設けられる。洗い場側領域１２には排水口１５に連続した矩形状の挿通穴１７が設けられ、洗い場１３を流れる湯水が挿通穴１７を通って排水口１５に流入するようになっている。また洗い場側領域１２は前記排水口１５に行く程下方に傾斜しており、床パン１を流れる湯水が排水口１５に集まり易くなっている。【選択図】図１
2013221259.tif 000002
【特許請求の範囲】
【請求項１】
浴槽側領域と洗い場側領域とを有する床パンを備え、前記浴槽側領域と前記洗い場側領域の境界部を跨るように排水口が設けられ、前記洗い場側領域は前記排水口に行く程下方に傾斜することを特徴とするユニットバスの床構造。
【請求項２】
前記境界部の中間部に前記排水口が設けられ、前記境界部の前記排水口以外の部分で前記排水口の両側に一方側堰と他方側堰とが設けられ、前記一方側堰と前記他方側堰との間に前記浴槽側領域に流入した湯水を通すために下部に隙間を有する中間堰が設けられることを特徴とする請求項１記載のユニットバスの床構造。
【請求項３】
請求項１又は請求項２記載のユニットバスの床構造の前記排水口に設けられる排水トラップであって、浴槽の排水が流れ込む浴槽側排水孔が設けられ、前記浴槽側領域からの湯水と前記洗い場側領域の排水とが流れ込む洗い場側排水孔が設けられ、排水を下水管に排出させる下水排出管が設けられることを特徴とする排水トラップ。
【発明の詳細な説明】
【技術分野】
【０００１】
本発明は、ユニットバスの床構造、排水トラップに関するものである。
【背景技術】
【０００２】
従来から、浴槽と洗い場に排水口を設け、堰の下方を通る排水管で排水口を連通しているものが知られている（例えば特許文献１参照）。
【先行技術文献】
【特許文献】
【０００３】
【特許文献１】特開２０１０−２４２４６２号公報
【発明の概要】
【発明が解決しようとする課題】
【０００４】
ところで、特許文献１に記載された従来の浴室用排水トラップは、図４に示すように、洗い場側の下部に設けられた洗い場排水口５１と、浴槽側の下部に設けられた浴槽排水口５２を備えている。洗い場排水口５１と浴槽排水口５２とは接続管部を介して接続されており、浴槽側及び洗い場側の排水が、洗い場排水口５１内で合流する方式である。洗い場排水口５１内に導かれた排水は、排水管を経由して下水側に排出される。
【０００５】
しかしながら、排水口が２つあるため、施工の際に必要な部材が増え、また施工も複雑になっていた。
【０００６】
本発明は上記従来の問題点に鑑みて発明したものであって、その目的とするところは、施工の際に必要な部材を減らし、また簡単に施工できるユニットバスの床構造、排水トラップを提供することを課題とするものである。
【課題を解決するための手段】
【０００７】
上記課題を解決するために、本発明は、以下のような構成とする。
【０００８】
ユニットバスの床構造は、浴槽側領域と洗い場側領域とを有する床パンを備え、前記浴槽側領域と前記洗い場側領域の境界部を跨るように排水口が設けられ、前記洗い場側領域は前記排水口に行く程下方に傾斜することを特徴とする。
【０００９】
また、前記境界部の中間部に前記排水口が設けられ、前記境界部の前記排水口以外の部分で前記排水口の両側に一方側堰と他方側堰とが設けられ、前記一方側堰と前記他方側堰との間に前記浴槽側領域に流入した湯水を通すために下部に隙間を有する中間堰が設けられることが好ましい。
【００１０】
また、ユニットバスの床構造の前記排水口に設けられる排水トラップであって、浴槽の排水が流れ込む浴槽側排水孔が設けられ、前記浴槽側領域からの湯水と前記洗い場側領域の排水とが流れ込む洗い場側排水孔が設けられ、排水を下水管に排出させる下水排出管が設けられることが好ましい。
【発明の効果】
【００１１】
本発明のユニットバスの床構造は、施工の際に必要な部材を減らし、また簡単に施工できる。
【図面の簡単な説明】
【００１２】
【図１】第一実施形態における、境界部に堰を設けない床パンの斜視図である。
【図２】第二実施形態における、境界部に一方側堰と他方側堰と中間堰からなる堰が設けられている床パンの斜視図である。
【図３】第二実施形態における、排水トラップの斜視図である。
【図４】従来例の斜視図である。
【発明を実施するための形態】
【００１３】
以下、本発明の第一実施形態について図１に基いて説明する。
【００１４】
本実施形態のユニットバスの床構造は床パン１を備えている。床パン１は浴槽が載置される浴槽側領域１１と、洗い場１３となる洗い場側領域１２とを備えている。そして、浴槽側領域１１と洗い場側領域１２との境界を境界部１４とし、境界部１４を跨るように排水口１５が設けられている。
【００１５】
床パン１の周端縁に立上り片１６が設けられている。立上り片１６が設けられていることにより、床パン１に流れる湯水が堰き止められる。
【００１６】
洗い場側領域１２は、本実施形態では平面視略矩形状をしているが、これに限定されない。また、洗い場側領域１２には排水口１５が設けられる場所に排水口１５と連続した矩形状の挿通穴１７が設けられ、洗い場１３を流れる湯水が挿通穴１７を通って排水口１５に流入するようになっている。なお本実施形態で、挿通穴１７は矩形状となっているが、これに限定されない。
【００１７】
洗い場側領域１２は、排水口１５に行く程下方に位置するように傾斜している。この傾斜が設けられることにより、床パン１に流れる湯水が排水口１５へと集まり易くなる。
【００１８】
また床パン１に排水口１５まで湯水を誘導する排水路（図示せず）が設けられてもよい。この排水路により、床パン１に流れる湯水が排水口１５へと流れ易くなる。
【００１９】
洗い場側領域１２の表面に湯水が付着していると、滑り易いため、転倒防止のために滑り止め（図示せず）が設けられてもよい。
【００２０】
浴槽側領域１１は、本実施形態では平面視略矩形状をしているが、これに限定されない。
【００２１】
洗い場側領域１２は浴槽側領域１１より上方に位置している。また本実施形態では後述する堰２が無いため、洗い場側領域１２の浴槽側の端部より下方に向けて垂下部１８を有し、浴槽側領域１１と垂下部１８の下端とが接続されている。
【００２２】
本実施形態は境界部１４に後述する堰２が設けられていない。
【００２３】
堰２が設けられていないことにより、床パン１の製造の際に、必要な部材が少なくなるため製造効率が上がる。また、床パン１が積載される際、堰２がないため余計な突出がなくなり、積載され易くなるため、物流効率が上がる。
【００２４】
以上のように排水口１５を一つにすることで、排水口１５が複数あるものに比べて必要な部材を少なくすることができる。そのため、配管が簡単になり施工がし易くなる。
【００２５】
次に、第二実施形態について図２に基づいて説明する。なお、本実施形態については図１に示す上記第一実施形態と大部分について同じであるため、同じ構成については同符号を付して説明を省略し、主に異なる部分について説明する。
【００２６】
本実施形態では、境界部１４の中間部に排水口１５が設けられ、境界部１４の排水口１５以外の部分で排水口１５の両側に一方側堰２１と他方側堰２２とが設けられている。一方側堰２１と他方側堰２２との間に、浴槽側領域１１に流入した湯水を通すために下部に隙間を持つ中間堰２３が設けられる。
【００２７】
また排水トラップ３が排水口１５に配設される。
【００２８】
堰２は、一方側堰２１と他方側堰２２と中間堰２３により形成される。堰２を形成することにより、浴槽側領域１１へと湯水が流れ込み難くなるため、水垢が発生し難くなる。
【００２９】
中間堰２３は、矩形体に形成され、厚みは一方側堰２１と他方側堰２２と等しく形成されるが、中間堰２３の高さは後述する排水トラップ３との間に隙間を設けるために短く形成される。
【００３０】
一方側堰２１と他方側堰２２とは中間堰２３を介して接続される。中間堰２３の両側面と一方堰２１と他方堰２２とは接着剤を塗布し貼着してもよい。また中間堰２３と一方堰２１と他方堰２２との接続は、一方側堰２１と他方側堰２２との間隙の長さと、中間堰２３の横方向の長さを略等しくし挟着してもよい。
【００３１】
排水トラップ３を排水口１５に設置した後、中間堰２３を設置することにより、排水口１５から排水トラップ３が外れないようにしている。
【００３２】
図３に示すように、排水口１５に設置される排水トラップ３は側面が円筒状となっており、上面と下面が閉塞されている。排水トラップ３の上面に浴槽側の排水が流れ込む浴槽側排水孔３１が設けられている。また、洗い場１３側の排水と浴槽側領域１１からの湯水が流れ込む洗い場側排水孔３２が設けられている。また排水トラップ３の側面には排水を下水管に排出させる下水排出管３３が設けられている。排水トラップ３の形状は、排水口１５の形状に合わせて形成されることが好ましい。排水トラップ３の材質は樹脂で形成されているが、これに限定されない。
【００３３】
下水排出管３３は円筒状をしているが、その断面の形状は下水管の断面の形状に合わせるのがよい。
【００３４】
浴槽側排水孔３１は、排水トラップ３の上面の平面視において中間堰２３が設けられる部分の浴槽側に配設される。本実施形態では、浴槽側排水孔３１は円形の開口であるが、その断面の形状は浴槽の排水口１５から延設される排水管の断面の形状に合わせるのがよい。
【００３５】
洗い場側排水孔３２は、排水トラップ３の上面の平面視において中間堰２３が設けられる部分の洗い場１３側に配設される。本実施形態では、洗い場側排水孔３２は略半円状の開口となっているが、これに限定されない。また洗い場側排水孔３２にはヘアキャッチャー４が取付けられる。
【００３６】
本実施形態ではヘアキャッチャー４は略半円状をしており、毛やごみを集める小孔４１を有した下面部４２と、下面部４２の周縁に設けられる起立片４３と、また起立片４３の上端にはフランジ部４４とが備えられている。なお、ヘアキャッチャー４の形状や、下面に設けられる毛やごみを集める構造は、これに限定されない。
【００３７】
フランジ部４４が設けられることにより、洗い場側排水孔３２にヘアキャッチャー４が載置できるようになっている。またフランジ部４４の洗い場側外縁に略矩形状をした取手部４５が設けられている。なお、本実施形態では取手部４５は略矩形状としたが、これに限定されない。
【００３８】
以上のように排水口１５を一つにすることで、排水口１５が複数枚あるものと比べて、必要な部材を少なくすることができるため、配管が簡単になり施工が行い易くなる。
【００３９】
また、排水口１５が複数ありトラップも複数設けられる実施形態と比べると、必要な部材を少なくすることができるため、配管が簡単になり施工が行い易くなる。そして、排水口１５が複数あるがトラップが一つ設けられる実施形態と比べると、トラップの構造が複雑ではない。そのため、トラップに必要とされるコストが安くなる。
【符号の説明】
【００４０】
１    床パン
１１  浴槽側領域
１２  洗い場側領域
１４  境界部
１５  排水口
２    堰
２１  一方側堰
２２  他方側堰
２３  中間堰
３    排水トラップ
３１  浴槽側排水孔
３２  洗い場側排水孔
３３  下水排出管
４    ヘアキャッチャー
【図１】
2013221259.tif 000003
【図２】
2013221259.tif 000004
【図３】
2013221259.tif 000005
【図４】
2013221259.tif 000006